(57)【要約】【課題】液圧装置を、防振効果を低下させることなく所望の取付対象に簡便に取り付けられるようにする。【解決手段】振動源１２と、振動源１２の少なくとも一部を覆う外殻２とを具備し、外殻２に設定した取付部２１を介して所要の取付対象４に取り付けることができる液圧ユニットであって、前記外殻２が前記振動源１２より力を受ける複数方向の作用面２ａ、２ｂ、２ｃ、２ｄを有し、該作用面２ａ、２ｂ、２ｃ、２ｄと振動源１２との間に制振材３を介在させており、同じ前記取付部２１を利用し取り付け方位を変更して前記取付対象４に取り付ける場合に前記制振材３が前記振動源１２より受ける力が、その許容荷重の範囲内にあるものを構成した。【選択図】図１
2004332621.tif 000002
【特許請求の範囲】
【請求項１】
振動源と、振動源の少なくとも一部を覆う外殻とを具備し、外殻に設定した取付部を介して所要の取付対象に取り付けることができるユニットであって、
前記外殻が前記振動源より力を受ける複数方向の作用面を有し、該作用面と振動源との間に制振材を介在させており、
同じ前記取付部を利用し取り付け方位を変更して前記取付対象に取り付ける場合に前記制振材が前記振動源より受ける力が、その許容荷重の範囲内にあるように構成された液圧ユニット。
【発明の詳細な説明】
【０００１】
【発明の属する技術分野】
本発明は、例えば産業設備や車両に実装する液圧装置の取付構造に関する。
【０００２】
【従来の技術】
従来、振動源となる液圧装置（液圧ポンプ／電動モータ、他）を天板等の上に載置するに際し、液圧装置より発生する振動が天板等へ波及することを抑止すべく、液圧装置を固定した架台と天板等との間に防振ゴムに代表される制振材を介在させることが一般的である（例えば、下記特許文献を参照）。
【０００３】
【特許文献１】特開平６−４２５０１号公報
【０００４】
【発明が解決しようとする課題】
また、図６に示すように、液圧装置の振動源（液圧ポンプ＋電動モータ６１）を外殻７で覆う場合、外殻７の内向面と架台６２との間に制振材８を配置する。
加えて、該液圧装置を所望の取付対象に取り付けるための取付部７１を、外殻７に設けておく。
【０００５】
ところが、制振材８たる防振ゴムは、圧縮力であるか引っ張り力であるかということも含め、作用する力の方向に応じて許容荷重が異なる。従って、上記の液圧装置を取付対象に取り付けるにあたっては、液圧装置の振動源と架台６２、制振材８、並びに外殻７の位置関係を保つように取り付けなければならない。よって、例えば、図７に示すように、液圧装置を立壁面に取り付けるときには、平面上に載置するための取付部７１とは別の新たな取付部９１を外殻７に設けた上でこの取付部９１を利用した取り付けを行う必要がある。または、図８に示すように、液圧装置を天井に取り付けるときには、液圧装置を下方より支持することができる取付ステー９２を天井に固定するとともに、この取付ステー９２に液圧装置を取り付ける必要がある。即ち、新たな取付部９１を設けたり、取付ステー９２を調達したりというように、製造ないし取付の工程の煩雑化を招く。
【０００６】
立壁面や天井に対し、取付変位を変更して（言い換えるならば、全体を傾倒させたり天地を逆転させたりというように姿勢を変えて）取り付け可能とする手段として、複数方向について十分な許容荷重をもつ防振ゴムを制振材として使用することも考えられる。しかしながら、このような防振ゴムのばね定数は大きく、その制振効果は低減せざるを得ない。
【０００７】
以上の問題に鑑みて、本発明は、液圧装置を所望の取付対象に簡便に取り付けられるようにすることを目的としている。
【０００８】
【課題を解決するための手段】
上述した課題を解決すべく、本発明では、振動源と、振動源の少なくとも一部を覆う外殻とを具備し、外殻に設定した取付部を介して所要の取付対象に取り付けることができる液圧ユニットであって、前記外殻が前記振動源より力を受ける複数方向の作用面を有し、該作用面と振動源との間に制振材を介在させており、同じ前記取付部を利用し取り付け方位を変更して前記取付対象に取り付ける場合に前記制振材が前記振動源より受ける力が、その許容荷重の範囲内にあるものを構成した。
【０００９】
【発明の実施の形態】
以下、本発明の一実施形態を、図面を参照して説明する。図１及び図２に示すように、本実施形態の液圧ユニットは、架台１１に固定した振動源１２と、振動源１２及び架台１１を遮蔽する外殻２とを主要な構成要素とする。
【００１０】
振動源１２は、例えば、液圧ポンプ１２１と、液圧ポンプ１２１を駆動する電動モータ１２２とを連結してなるものである。但し、作動流体用タンクや各種バルブ等の図示は省略している。架台１１は、少なくとも振動源１２を固定するための固定面を有する。図示例では、中空の略角筒形状をなす本体を備えており、その内向面の一を固定面１１ａとして、液圧装置の振動源１２を固定している。
振動源１２、架台１１は、液圧装置の運転に伴い振動する。
【００１１】
外殻２は、振動源１２の少なくとも一部を覆うものであり、振動源１２より力を受ける複数方向の作用面２ａ、２ｂ、２ｃ、２ｄを有する。図示例では、架台１１に相似する中空の略角筒形状をなす本体を備える。そして、その内向面における所定領域と、振動源１２（若しくは、架台１１）の外向面における所定領域との間に制振材３を配置し、振動源１２を外殻２の内向面より浮かせた状態に支持させている。このとき、外殻２の内向面の所定領域が、振動源１２側より制振材３を介して力を受ける作用面２ａ、２ｂ、２ｃ、２ｄとなる。即ち、略角筒形状をなす外殻２の、互いに垂直／平行な四つの内向面（さらに、後述するように、外殻２の前後を蓋体５で閉止するときには、これら外殻２及び蓋体５の六つの内向面）のうち少なくとも二つの面（本実施形態では、四つの面２ａ、２ｂ、２ｃ、２ｄ）に作用面２ａ、２ｂ、２ｃ、２ｄが設定される。因みに、図示しない作動流体用タンクや各種バルブ等は、必ずしも振動源１２とはならない。よって、これらは、制振材３を介さずに外殻２に接する態様で設けることが許される。
【００１２】
また、外殻２の外側面の所定部位に、所望の取付対象４に取り付けるために利用し得る取付部２１を設けている。取付部２１の具体的構成は、特に限定されない。即ち、取付対象４と係わり合って該液圧ユニットを取り付けるための種々の部材を外殻２の外側面に装着して取付部２１としてもよく、または、ボルトその他の取り付けのための部品を挿入できる開口、穴等を成形してこれを取付部２１としてもよい。
【００１３】
制振材３は、例えば、ニトリルゴム等を素材とする防振ゴムを用いて製造できる。本実施形態の制振材３は、正面視外殻２の作用面２ａ、２ｂ、２ｃ、２ｄと振動源１２の外向面との間に形成される環状の空間領域を埋めるような形状、言い換えるならば略枠体状をなす。制振材３は、振動源１２に対して略対称に（上下対称に、左右対称に、または対角線対称に）配置する。加えて、図２に示しているように、制振材３の前端部または後端部を内向きに突出させて後ろ向きまたは前向きの当接面３ａを設けており、これら当接面３ａに振動源１２の前後端部を当接させた状態で振動源１２及び制振材３を外殻２内に配置できるようにしている。
【００１４】
しかして、外殻２内に振動源１２及び制振材３を配置した上で、外殻２の前後の開口を蓋体５で閉止することにより、本実施形態の液圧ユニットが完成する。
なお、このとき、蓋体５と振動源１２との間にも制振材３が介在しているものとすることが好ましい。
【００１５】
上記のように構成した液圧ユニットは、まず、図１に示しているように、外殻２の下部に設定した取付部２１を利用して、略水平な取付面を有する取付対象４の上に載置して取り付けることができる。液圧装置を運転していないとき、外殻２の上向きの作用面２ａが振動源１２の荷重を受け、上向きの作用面２ａと振動源１２との間に介在する制振材３に力が作用する。液圧装置を運転しているときには、振動源１２が振動することにより外殻２の各作用面２ａ、２ｂ、２ｃ、２ｄが振動源１２より力を受け、かつ各作用面２ａ、２ｂ、２ｃ、２ｄと振動源１２との間に介在する制振材３にそれぞれ力が作用するが、基本的に最も大きな力が作用するのは上向きの作用面２ａと振動源１２との間に介在する制振材３である。そして、制振材３に作用する力は、制振材３の許容荷重の範囲内にある。
【００１６】
また、同じ取付部２１を利用して、取り付け方位を変更して取付対象４に取り付けることができる。より具体的には、図３に示すように、液圧ユニット全体の姿勢を傾倒して、略垂直な取付面を有する取付対象４に取り付けることができる。このときにも、基本的に最も大きな力が作用するのは上向きの作用面２ｂと振動源１２との間に介在する制振材３である。但し、この制振材３は、図１に示すように液圧ユニットを直立姿勢としたときに最も大きな力を受ける制振材３とは相違する。そして、制振材３に作用する力は、制振材３の許容荷重の範囲内にある。同様に、図４に示すように、略鉛直下向きの取付面を有する取付対象４に取り付けることも可能であり、このとき制振材３に作用する力もまた、制振材３の許容荷重の範囲内にある。
【００１７】
環状をなす制振材３が振動源１２の全周にわたって該振動源１２を保持していることから、上述の如く取付変位を変更したとしても、全体として略同等の許容荷重をもち、振動源１２より作用する力に適切に対抗できる。しかも、取付変位によらず略同等のばね定数をもつため、どのような取付変位で液圧ユニットを取り付けたとしても、変わらぬ制振効果を発揮し得る。
【００１８】
本実施形態によれば、振動源１２と、振動源１２の少なくとも一部を覆う外殻２とを具備し、外殻２に設定した取付部２１を介して所要の取付対象４に取り付けることができる液圧ユニットにおいて、前記外殻２が前記振動源１２より力を受ける複数方向の作用面２ａ、２ｂ、２ｃ、２ｄを有し、該作用面２ａ、２ｂ、２ｃ、２ｄと振動源１２との間に制振材３を介在させており、同じ前記取付部２１を利用し取り付け方位を変更して前記取付対象４に取り付ける場合に前記制振材３が前記振動源１２より受ける力が、その許容荷重の範囲内にあるように構成したため、取付対象４の取付面の向きに応じて取付変位を変更し、同じ取付部２１を利用した取り付けを行うことが可能となる。従って、所望の取付対象４に対して簡便に取り付けることができる。
【００１９】
なお、本発明は以上に詳述した実施形態に限られるものではない。特に、制振材３の形状やその配置は、上記実施形態における態様には限られない。例えば、振動源１２と外殻２との間に制振材３を介在させるにあたり、図５に例示するように、空隙を隔てた複数箇所に制振材３を配置することができる。
【００２０】
加えて、振動源１２若しくは架台１１の外形や、振動源１２等を覆う外殻２の形状もまた、本実施形態におけるようなものには限られない。
【００２１】
その他各部の具体的構成は上記実施形態に限られるものではなく、本発明の趣旨を逸脱しない範囲で種々変形が可能である。
【００２２】
【発明の効果】
以上詳述したように、本発明によれば、液圧ユニットを所望の取付対象に簡便に取り付けることができる。
【図面の簡単な説明】
【図１】本発明の一実施形態における液圧ユニットを示す正断面図。
【図２】同側断面図。
【図３】同正断面図。
【図４】同正断面図。
【図５】本発明の変形例の一を示す正断面図。
【図６】既存の液圧ユニットを示す図。
【図７】既存の液圧ユニットを示す図。
【図８】既存の液圧ユニットを示す図。
【符号の説明】
１２…振動源
２…外殻
２ａ、２ｂ、２ｃ、２ｄ…作用面
３…制振材
４…取付対象
【図１】
2004332621.tif 000003
【図２】
2004332621.tif 000004
【図３】
2004332621.tif 000005
【図４】
2004332621.tif 000006
【図５】
2004332621.tif 000007
【図６】
2004332621.tif 000008
【図７】
2004332621.tif 000009
【図８】
2004332621.tif 000010